(57)【要約】【課題】１種類であっても大小の分類ができるうえに、差し替えの煩わしさを極力なくすことが可能な見出し付きシートを提供する。【解決手段】複数のルーズリーフとともに綴じられる見出し付きシート３である。  そして、シート本体３１の縁部３１１には、隣接する端辺と略平行となる折曲げ線４１を残して引き起こし可能となる切込み部４２を折曲げ線より内部側に入れることによって形成される大インデックス４及び小インデックス５が複数箇所に設けられており、大インデックスと小インデックスとは、大きさが異なっている。【選択図】図１
2016193577.tif 000002
【特許請求の範囲】
【請求項１】
複数のルーズリーフとともに綴じられる見出し付きシートであって、
シート本体の縁部には、隣接する端辺と略平行となる折曲げ線を残して引き起こし可能となる切り込みを前記折曲げ線より内部側に入れることによって形成される見出し部が複数箇所に設けられており、
前記見出し部は、大きさ又は形状の異なる複数種類が存在することを特徴とする見出し付きシート。
【請求項２】
複数の前記見出し部は、前記シート本体の第１の縁部において前記端辺に沿って整列されていることを特徴とする請求項１に記載の見出し付きシート。
【請求項３】
複数の前記見出し部は、前記第１の縁部に直交する第２の縁部側に大型の複数の見出し部が整列し、前記第２の縁部に対向する第３の縁部側に小型の複数の見出し部が整列することを特徴とする請求項２に記載の見出し付きシート。
【請求項４】
複数枚の請求項１乃至３のいずれか一項に記載の見出し付きシートが、取り外し可能に綴じられていることを特徴とするバインダー。
【発明の詳細な説明】
【技術分野】
【０００１】
本発明は、複数のルーズリーフとともに綴じられる見出し付きシート及びバインダーに関するものである。
【背景技術】
【０００２】
自由に取り外しが行える複数のルーズリーフがバインダーに綴じられたファイルやスケジュール帳やノートなどを利用する際に、見出し（インデックス）を付けて目印にしたり、中身を分類したりすることがある。
【０００３】
このインデックスは、通常、情報が印刷されたり白紙のルーズリーフとは別のシートに設けられる(特許文献１−４参照)。そして、シートから側方にインデックスを突出させることで、見出しとして目立たせることができる構成となっている。
【０００４】
例えば、特許文献１の第四図には、シートの切り込まれた箇所を引き起こすことでシートの側方に突出させ、見出しにできる構成が開示されている。このような見出しは一箇所だけであれば目立たせることができるが、積層されたルーズリーフの同じ箇所に見出しも重なってしまうと、一つ一つが目立たなくなる。
【０００５】
これに対して、特許文献２に開示されているように、見出し部の位置をルーズリーフの側縁の延伸方向に移動させることで、それぞれの見出し部を見やすくできることが知られている。
【０００６】
一方、特許文献３には、書類の分類事項が多くなる場合に、大見出しと小見出しとを分けられるように、複数種類のインデックスシートを用意する構成が開示されている。
【先行技術文献】
【特許文献】
【０００７】
【特許文献１】実開平４−５９８３号公報
【特許文献２】特開平９−２９５４８７号公報
【特許文献３】特開平９−２９５４８８号公報
【発明の概要】
【発明が解決しようとする課題】
【０００８】
しかしながら特許文献１−３に開示された見出し付きシートは、見出し部の突出位置を変更したい場合には、その都度バインダーから取り外して差し替えなければならない。
【０００９】
また、特許文献２，３に開示されているように、複数種類の見出し付きシートを使用する場合は、製作コストが上がるだけでなく、利用者にとっても必要に応じて必要な種類のシートを用意しておかなければならず、利便性に欠ける。
【００１０】
そこで、本発明は、１種類であっても大小の分類ができるうえに、差し替えの煩わしさを極力なくすことが可能な見出し付きシート及びバインダーを提供することを目的としている。
【課題を解決するための手段】
【００１１】
前記目的を達成するために、本発明の見出し付きシートは、複数のルーズリーフとともに綴じられる見出し付きシートであって、シート本体の縁部には、隣接する端辺と略平行となる折曲げ線を残して引き起こし可能となる切り込みを前記折曲げ線より内部側に入れることによって形成される見出し部が複数箇所に設けられており、前記見出し部は、大きさ又は形状の異なる複数種類が存在することを特徴とする。
【００１２】
ここで、複数の前記見出し部は、前記シート本体の第１の縁部において前記端辺に沿って整列されている構成とすることができる。また、複数の前記見出し部は、前記第１の縁部に直交する第２の縁部側に大型の複数の見出し部が整列し、前記第２の縁部に対向する第３の縁部側に小型の複数の見出し部が整列する構成にすることができる。
【００１３】
さらに、本発明のバインダーは、複数枚の上記いずれかに記載の見出し付きシートが、取り外し可能に綴じられていることを特徴とする。
【発明の効果】
【００１４】
このように構成された本発明の見出し付きシートは、シート本体の縁部において、引き起こし可能な見出し部が切り込みを入れることによって複数箇所に形成される。そして、これらの見出し部には、大きさ又は形状の異なる複数種類が存在する。
【００１５】
このため、見出し付きシートが１種類であっても、大きさ又は形状の異なる見出し部によって大小の分類ができるうえに、バインダーに対して見出し部の位置を移動する際の差し替えの煩わしさを極力なくすことができる。
【００１６】
また、シート本体の縁部に複数の見出し部が整列されていれば、各シート本体に対していずれかの見出し部を引き起こしていくだけで、バインダーの中で容易に位置をずらして見出し部を整列させることができる。
【００１７】
さらに、第２の縁部側に大型の見出し部をまとめて配置し、それとは反対側の縁部側に小型の見出し部をまとめて配置することで、１種類の見出し付きシートをひっくり返すだけで、大型の見出し部に近接して小型の見出し部を突出させることができる。
【図面の簡単な説明】
【００１８】
【図１】本実施の形態の見出し付きシートの構成を示した説明図である。
【図２】複数の見出し付きシート及びルーズリーフが綴じられたファイルの構成を説明する斜視図である。
【図３】複数の見出し付きシートが綴じられたファイルの構成を説明する平面図である。
【発明を実施するための形態】
【００１９】
以下、本発明の実施の形態について図面を参照して説明する。図１は、本実施の形態の見出し付きシート３の構成を説明する説明図である。また、図２は、その見出し付きシート３をバインダー１１に綴じたファイル１の構成を説明する斜視図である。
【００２０】
このファイル１は、複数の見出し付きシート３，・・・と、複数のルーズリーフ２，・・・と、それらを取り外し可能に綴じるバインダー１１とによって主に構成される加除式書籍や手帳などである。
【００２１】
すなわち、綴じられるルーズリーフ２，・・・に文字情報や図等が印刷されていれば書籍やカタログなどとなり、罫線などが印刷されて書き込む余白があれば手帳やノートとなる。
【００２２】
バインダー１１は、図２に示すように、見出し付きシート３，・・・及びルーズリーフ２，・・・を綴じるリング部１２，１２を備えた表紙となる外殻部である。
【００２３】
このリング部１２は、半円形状に形成され、開閉自在となっている。この図では、バインダー１１の２箇所にリング部１２，１２が配置された構成を示したが、これに限定されるものではなく、見出し付きシート３及びルーズリーフ２に穿孔された穴の数だけリング部を備えた構成であってもよい。
【００２４】
一方、図１に示すように、見出し付きシート３のシート本体３１には、リング部１２に通すための複数の穴（３２，３３）が穿孔される。ここで、２箇所のリング部１２に通す穴を大穴３２とし、それ以外の穴を小穴３３とする。バインダー１１に２箇所しかリング部１２，１２がない場合は、この小穴３３，・・・が省略されていてもよい。
【００２５】
シート本体３１は、紙やプラスチックシートなどによって長方形に成形される。シート本体３１は、一緒に綴じられるルーズリーフ２，・・・と同じ色であってもよいが、識別し易くなるように異なる色彩を施すこともできる。
【００２６】
ここで、シート本体３１の穴（３１，３２）が穿孔される縁部に対向する側方の縁部３１１を第１の縁部とする。一方、第１の縁部３１１に直交する上方の縁部３１２を第２の縁部とし、第２の縁部３１２に対向する下方の縁部３１３を第３の縁部とする。
【００２７】
そして、第１の縁部３１１には、大きさの異なる２種類の見出し部（４，５）が設けられる。ここでは、上方の縁部３１２側に設けられる見出し部を大インデックス４，・・・とし、下方の縁部３１２側に設けられる見出し部を小インデックス５，・・・とする。
【００２８】
これらの大インデックス４，・・・及び小インデックス５，・・・は、縁部３１１に隣接する側辺に沿って、縁部３１１の延伸方向に間隔を置いて整列するように設けられる。
【００２９】
大インデックス４と小インデックス５とは、大きさが異なっている。また、大インデックス４と小インデックス５とで形状を変えてもよい。要するに、見出しとして突出した際に、大インデックス４と小インデックス５とが異なる形態で突出されればよい。
【００３０】
大インデックス４及び小インデックス５の領域は、無地にしておいて自由に文字などを記入できるようにしておくことができる。また、文字情報や絵図や図柄などを予め印刷しておくこともできる。
【００３１】
大インデックス４は、隣接する側辺と略平行となる折曲げ線４１と、折曲げ線４１より内部側に設けられる切込み部４２とによって主に構成される。折曲げ線４１は、大インデックス４を引き起こす際の起点となる線で、予め明示されていなくても結果的に折曲げ線となればよい。また、マイクロミシン目などのミシン目４１１を入れるなどして、折り曲げ易くすることができる。
【００３２】
切込み部４２は、大インデックス４を引き起こした際に、折曲げ線４１の一方の端部から他方の端部にかけての領域が容易に切り抜かれるように設けられる。要するに、折曲げ線４１を残して引き起こし可能とするために設けられる切り込みが、切込み部４２となる。
【００３３】
例えば切込み部４２は、折曲げ線４１の両端に繋がる略Ｕ字形のミシン目４２１によって構成することができる。また、折曲げ線４１付近のみミシン目とし、それ以外をカット部と、カット部間のアンカット部とによって構成することもできる。ここで、カット部は、シート本体３１を貫通する切り込みを指し、アンカット部は、カット部間の切り込みを入れずに僅かに接続を残した箇所を指す。
【００３４】
このようにカット部の途中にアンカット部を点在させておくことで、ページを捲ったりしただけで大インデックス４が自然に浮き上がってしまうことを防ぐことができる。
【００３５】
一方、小インデックス５は、隣接する側辺と略平行となる折曲げ線５１と、折曲げ線５１より内部側に設けられる切込み部５２とによって主に構成される。折曲げ線５１をミシン目５１１で構成する点や、切込み部４２をミシン目５２１で構成する点などは、大インデックス４と同じであるため詳細な説明は省略する。
【００３６】
このように見出し付きシート３には、縁部３１１に沿って、上半分に４つの大インデックス４，・・・が整列され、下半分に６つの小インデックス５，・・・が整列される。
【００３７】
次に、図２，３を参照しながら見出し付きシート３Ａ−３Ｄの使用方法について説明する。
【００３８】
未使用時の見出し付きシート３Ａ−３Ｄは、大インデックス４，・・・及び小インデックス５，・・・がシート本体３１と面一となった状態にある。すなわち、いずれの大インデックス４，・・・及び小インデックス５，・・・も、引き起こされていない状態である。
【００３９】
そして、ファイル１を整理しようとする利用者は、区切りを入れたいルーズリーフ２，・・・群とルーズリーフ２，・・・群との間に、見出し付きシート３Ａ（３Ｂ−３Ｄ）をそれぞれ挟んでリング部１２，１２で綴じていく。
【００４０】
この際、見出し付きシート３Ａの次に挟み込む見出し付きシート３Ｂは、向きを反対にして挟む。すなわち、図２に示すように、小インデックス５，・・・群が上半分に配置されるように挟む。
【００４１】
さらに、その次に挟み込む見出し付きシート３Ｃは、向きを戻して大インデックス４，・・・群が上半分に配置されるように挟む。そして、最後の見出し付きシート３Ｄは、小インデックス５，・・・群が上半分に配置されるように挟む。
【００４２】
すなわち、図２では、見出し付きシート３Ａ−３Ｄの向きを交互に変えて綴じる場合について説明する。なお、この綴じ方に限定されるものではなく、見出し付きシート３Ａ−３Ｄの使用方法をわかりやすく説明するためにこのように並べている。
【００４３】
そして、一番最初の見出し付きシート３Ａでは、最上段の大インデックス４を引き起こし、折曲げ線４１で折り曲げる。折曲げ線４１で折り曲げられた大インデックス４は、側端部がシート本体３１の縁部３１１よりも側方に突出される。
【００４４】
この大インデックス４は、シート本体３１の表側のページからも裏側のページからも引き起こすことができる。この突出させた大インデックス４は、大分類の見出しとなる。
【００４５】
次の見出し付きシート３Ｂでは、最上段の小インデックス５を見出しとして引き起こし、縁部３１１から小インデックス５の一部を突出させる。この突出させた小インデックス５は、小分類の見出しとなる。
【００４６】
同様に見出し付きシート３Ｃでは、中間部の大インデックス４を引き起こし、大分類の見出しにする。さらに、見出し付きシート３Ｄでは、中間部の小インデックス５を引き起こし、小分類の見出しにする。
【００４７】
このようにして大インデックス４と小インデックス５を見出しにしてファイル１を閉じ、バインダー１１の表紙のみを開いた状態を図３に示した。この図に示すように、ファイル１では、複数の大インデックス４Ａ−４Ｄと複数の小インデックス５Ａ−５Ｉとが側方に突出されている。
【００４８】
例えば、大分類を示す大インデックス４Ａの裏に小分類を示す小インデックス５Ａ，５Ｂの一部が隠れて配置される。一方、小インデックス５Ｈは、大インデックス４Ｄの投影をすれば重なり合う位置に突出されている。
【００４９】
しかしながら大インデックス４Ａ，４Ｄと小インデックス５Ａ，５Ｂ，５Ｈとは、大きさが異なるうえにファイル１の厚さ方向の位置も異なっているので、投影すれば重なり合う位置に配置されていても、はっきりと区別することができる。
【００５０】
また、隣接する大インデックス４Ａ，４Ｂどうしの位置は、上下にずれているので重なり合うことがなく、区別することができる。さらに、反対向きに取り付けられた見出し付きシート３Ｂ，３Ｄにおいては、下側の領域に大インデックス４Ｃ，４Ｄを突出させることができるので、ファイル１の側縁の全長に亘って大インデックス４Ａ−４Ｄを突出させることができる。
【００５１】
また、小インデックス５Ａ−５Ｉについても、ファイル１の側縁の全長に亘って突出させることができる。さらに、一枚の見出し付きシート３において、大分類の大インデックス４と小分類の小インデックス５の両方を引き起こすこともできる。
【００５２】
次に、本実施の形態の見出し付きシート３、及び複数の見出し付きシート３，・・・が綴じられたバインダー１１の作用について説明する。
【００５３】
このように構成された本実施の形態の見出し付きシート３は、シート本体３１の縁部３１１において、引き起こし可能な大インデックス４，・・・及び小インデックス５，・・・が切り込みを入れることによって複数箇所に形成される。そして、これらの大インデックス４と小インデックス５とは、大きさが異なる別の種類になる。
【００５４】
このため、見出し付きシート３が１種類であっても、大きさの異なる大インデックス４と小インデックス５とによって大小の分類をおこなうことができる。すなわち、見出し付きシート３は、１種類に絞ることができ、製作コストを下げることができる。また、利用者も、１種類の見出し付きシート３，・・・を用意しておけばよく、利便性に優れている。
【００５５】
また、バインダー１１のリング部１２，１２に見出し付きシート３を綴じた後に、見出しとして大インデックス４を使用するか小インデックス５を使用するかといった種類の決定及び位置の決定を行うことができる。
【００５６】
このため、見出し部の位置を移動する際には差し替えを行わなければならない従来の見出し付きシートと比べて、差し替えの煩わしさを極力なくすことができる。
【００５７】
また、シート本体３１の縁部３１１に複数の大インデックス４，・・・及び小インデックス５，・・・が整列されていれば、各シート本体３１，・・・に対していずれかの見出し部（４，５）を引き起こしていくだけで、図３に示すようにバインダー１１の中で容易に位置をずらして大インデックス４，・・・及び小インデックス５，・・・を整列させることができる。
【００５８】
さらに、一旦、大インデックス４又は小インデックス５を引き起こした後であっても、前後のページの見出しの位置から見出しの種類や位置を変えたくなった場合は、容易に別の位置の大インデックス４又は小インデックス５を引き起こして見出しとすることができる。
【００５９】
このため、前後の関係できれいに見出しの位置をずらしていくことが容易にできる。また、一旦、引き起こされた大インデックス４又は小インデックス５は、折曲げ線４１，５１を戻すことで、切込み部４２，５２の内側に再び収容させることができる。
【００６０】
そして、縁部３１２側に大インデックス４，・・・をまとめて配置し、それとは反対側の縁部３１３側に小インデックス５，・・・をまとめて配置することで、１種類の見出し付きシート３をひっくり返すだけで、大インデックス４に近接して小インデックス５を突出させることができる。
【００６１】
以上、図面を参照して、本発明の実施の形態を詳述してきたが、具体的な構成は、この実施の形態に限らず、本発明の要旨を逸脱しない程度の設計的変更は、本発明に含まれる。
【００６２】
例えば、前記実施の形態では、複数のルーズリーフ２，・・・が複数の見出し付きシート３Ａ−３Ｄによって区切られるファイル１について説明したが、これに限定されるものではなく、全てのルーズリーフが見出し付きシート３，・・・であってもよい。この場合は、見出し付きシート３のシート本体３１が書類になったり、ノートになったりする。
【００６３】
また、前記実施の形態では、大小２種類の見出し部（４，５）を設ける場合について説明したが、これに限定されるものでなく、大中小の３種類など複数種類の見出し部を一枚の見出し付きシートに設けることができる。
【００６４】
さらに、前記実施の形態では、大分類用の大インデックス４と小分類用の小インデックス５とを大きさを変えることで区別したが、これに限定されるものではなく、見出し部の形状を変えることで、大分類用と小分類用とを区別することもできる。
【００６５】
また、前記実施の形態では、シート本体３１の側方の縁部３１１を見出し部を設ける第１の縁部としたが、これに限定されるものではなく、上方の縁部３１２又は下方の縁部３１３を第１の縁部として見出し部を設けることもできる。
【００６６】
さらに、前記実施の形態では、第１の縁部３１１にのみ見出し部（４，５）を設ける場合について説明したが、これに限定されるものではなく、第２、第３の縁部にも併せて見出し部を設け、シート本体３１の複数の端辺から見出し部を突出させることができる。
【符号の説明】
【００６７】
１１            バインダー
２              ルーズリーフ
３，３Ａ−３Ｄ  見出し付きシート
３１            シート本体
３１１          （第１の）縁部
３１２          （第２の）縁部
３１３          （第３の）縁部
４，４Ａ−４Ｄ  大インデックス（見出し部）
４１            折曲げ線
４２            切込み部
５，５Ａ−５Ｉ  小インデックス（見出し部）
５１            折曲げ線
５２            切込み部
【図１】
2016193577.tif 000003
【図２】
2016193577.tif 000004
【図３】
2016193577.tif 000005